(57)【要約】【課題】著作権保護されたコンテンツを、その品質を損なうことなく異なる記録媒体に複数回ムーブさせることを可能とした利便性の高い情報管理方法を提供する。【解決手段】ビデオレコーダ１のＨＤＤ１９にコンテンツデータ１９１を記録した際に、そのコンテンツデータ１９１を再生可能とするためのライセンス情報を分離して、不揮発性メモリ１８内の再生管理情報１８１において管理する。そして、このライセンス情報と、低ビットレート化したコンテンツデータ、コンテンツＩＤを携帯端末２に引き渡す（ステップＳ１１）ことで、コンテンツデータ１９１が仮想的にムーブされる。さらに、コンテンツＩＤとライセンス情報とがビデオレコーダ１に戻される（ステップＳ２１）ことにより、ＨＤＤ１９内のコンテンツデータ１９１を再び再生することが可能となり、オリジナルの品質のデジタルコンテンツを再び再生することができる。【選択図】図３
2010044858.tif 000002
【特許請求の範囲】
【請求項１】
著作権保護されたコンテンツの再生の可否を管理するための情報管理方法において、
再生管理手段が、記録媒体に記録されたコンテンツに対する無効化要求を受け付けると、コンテンツを再生可能とするために必要なライセンス情報が、各コンテンツを識別するコンテンツ識別情報に対応付けて記録された再生管理情報から、当該コンテンツに対応する前記ライセンス情報を消去する無効化ステップと、
再生制御手段が、前記記録媒体内のコンテンツの再生要求を受け付けると、前記再生管理情報を参照して当該コンテンツに対応する前記ライセンス情報が消去されていない場合に再生を許可する再生処理ステップと、
前記再生管理手段が、前記ライセンス情報が消去されたコンテンツに対応する前記ライセンス情報を取得すると、当該ライセンス情報を対応する前記コンテンツ識別情報とともに前記再生管理情報に再び記録して前記再生管理情報を更新する無効化解除ステップと、
を含むことを特徴とする情報管理方法。
【請求項２】
前記無効化要求が、前記記録媒体に記録されたコンテンツを他の記録媒体へ移動させる要求に応じて発行された場合、前記無効化ステップでは、当該コンテンツに対応する前記ライセンス情報を前記再生管理情報から移動先の記録媒体に移動させることを特徴とする請求項１記載の情報管理方法。
【請求項３】
記録制御手段が、前記記録媒体にコンテンツを記録する際に、当該コンテンツが他の記録媒体に移動可能か否かを判定し、移動可能である場合のみ当該コンテンツに対応する前記ライセンス情報を当該コンテンツのデータから分離して前記再生管理情報に記録するステップをさらに含むことを特徴とする請求項１記載の情報管理方法。
【請求項４】
著作権保護されたコンテンツの再生の可否を管理するための情報管理方法において、
再生管理手段が、記録媒体に記録されたコンテンツを他の記録媒体へ移動させる要求に応じて発行された当該コンテンツに対する無効化要求を受け付けると、当該コンテンツを再生不能状態として再生管理情報に登録し、移動要求対象のコンテンツのデータを移動先の記録媒体に送信する際には、必要に応じて当該コンテンツのデータのビットレートを変換して送信する無効化ステップと、
再生制御手段が、前記記録媒体内のコンテンツの再生要求を受け付けると、前記再生管理情報を参照して当該コンテンツが再生不能状態でない場合に再生を許可する再生処理ステップと、
前記再生管理手段が、再生不能状態のコンテンツに対応する再生許諾情報を取得すると、当該コンテンツの再生不能状態を解除するように前記再生管理情報を更新する無効化解除ステップと、
を含むことを特徴とする情報管理方法。
【請求項５】
記録媒体に記録されたコンテンツを再生する情報再生装置において、
前記記録媒体に記録されたコンテンツに対する無効化要求を受け付けると、コンテンツを再生可能とするために必要なライセンス情報が、各コンテンツを識別するコンテンツ識別情報に対応付けて記録された再生管理情報から、当該コンテンツに対応する前記ライセンス情報を消去し、
前記ライセンス情報が消去されたコンテンツに対応する前記ライセンス情報を取得すると、当該ライセンス情報を対応する前記コンテンツ識別情報とともに前記再生管理情報に再び記録して前記再生管理情報を更新する再生管理手段と、
前記記録媒体内のコンテンツの再生要求を受け付けると、前記再生管理情報を参照して当該コンテンツに対応する前記ライセンス情報が消去されていない場合に再生を許可する再生制御手段と、
を備えることを特徴とする情報再生装置。
【請求項６】
前記無効化要求が、前記記録媒体に記録されたコンテンツを他の記録媒体へ移動させる要求に応じて発行された場合に、当該コンテンツに対応する前記ライセンス情報を前記再生管理情報から移動先の記録媒体に移動させるライセンス情報移動手段をさらに有することを特徴とする請求項５記載の情報再生装置。
【請求項７】
前記記録媒体にコンテンツを記録する際に、当該コンテンツが他の記録媒体に移動可能か否かを判定し、移動可能である場合のみ当該コンテンツに対応する前記ライセンス情報を当該コンテンツのデータから分離して前記再生管理情報に記録する記録制御手段をさらに有することを特徴とする請求項６記載の情報再生装置。
【請求項８】
記録媒体に記録されたコンテンツを再生する情報再生装置において、
前記記録媒体に記録されたコンテンツに対する無効化要求を受け付けると、当該コンテンツを再生不能状態として再生管理情報に登録し、再生不能状態のコンテンツに対応する再生許諾情報を取得すると、当該コンテンツの再生不能状態を解除するように前記再生管理情報を更新する再生管理手段と、
前記記録媒体内のコンテンツの再生要求を受け付けると、前記再生管理情報を参照して当該コンテンツが再生不能状態でない場合に再生を許可する再生制御手段と、
前記無効化要求が、前記記録媒体に記録されたコンテンツを他の記録媒体へ移動させる要求に応じて発行された場合に、移動要求対象のコンテンツのデータを移動先の記録媒体に送信する際に、必要に応じて当該コンテンツのデータのビットレートを変換して送信するビットレート変換手段と、
を有することを特徴とする情報再生装置。
【発明の詳細な説明】
【技術分野】
【０００１】
本発明は、著作権保護されたコンテンツの再生の可否を管理するための情報管理方法、およびそのための情報再生装置に関し、特に、コンテンツを記録媒体間で移動させる場合の利便性が向上された情報管理方法および情報再生装置に関する。
【背景技術】
【０００２】
近年、ビデオやオーディオなどのデジタルコンテンツが広く利用されるようになり、また、これらのデジタルコンテンツを記録・再生することが可能なレコーダやプレーヤの普及も進んでいる。例えば、放送コンテンツを書き込み可能なＤＶＤ（Digital Versatile Disk）やＨＤＤ（Hard Disk Drive）などにデジタルデータとして保存することが可能なビデオレコーダが急速に普及している。また、放送衛星を用いたデジタル放送に次いで、最近では地上波によるデジタル放送も開始されている。これらのデジタル放送では、従来の放送より高解像度であるＨＤＴＶ（High Definition TeleVision）映像が提供されており、このような放送コンテンツをそのままの画質で光ディスクなどに記録可能なビデオレコーダの開発も進んでいる。
【０００３】
このように、高品質のデジタルコンテンツを可搬型の記録媒体に容易に保存できるようになるのに伴い、デジタルコンテンツの著作権保護の重要性が高まっている。現在のビデオコンテンツでは、コンテンツのデータにコピーの可否を示すコピー制御情報（ＣＣＩ：Copy Control Information）を添付する方法が一般的に用いられている。例えば、コピー制御情報を用いることで、各ビデオコンテンツのデータについて、コピーを制限しない状態（コピーフリー，Copy Free）、１回のみのコピーを許可する状態（コピーワンス，Copy Once）、コピーを禁止する状態（コピーネバー，Copy Never）などとすることができる。なお、上記のデジタル放送では現在、すべてのコンテンツについて“コピーワンス”を示すコピー制御情報が添付されており、ビデオレコーダは通常、このようなコンテンツを“コピーネバー”としてから記録媒体に記録する。
【０００４】
また、“コピーネバー”とされて記録媒体に記録されたビデオコンテンツは、その記録媒体のデータを消去（または無効化）することを条件に、別の記録媒体にコピーすることが許可される。このように、元のデータを消去して別の記録媒体にコピーする動作は“ムーブ（Move）”と呼ばれ、例えばデジタル放送などを通じて受信し、ビデオレコーダのＨＤＤに記録したビデオコンテンツについて、ユーザが長期保存が必要と考えたときには、ＤＶＤなどの可搬型の記録媒体にムーブすることが可能となって、ユーザの利便性の向上と、不正な大量コピーの防止とが両立されている。
【０００５】
なお、ムーブ時のコンテンツの取り扱いを容易にするための様々な技術が提案されている。例えば、ＣＤ（Compact Disc）の音楽コンテンツなどをサーバからメモリカードにムーブする際に、ムーブした楽曲の情報を移動履歴管理データとしてメモリカードに記憶することで、メモリカードからサーバにコンテンツを戻す（ムーブする）ときに、戻したコンテンツを再び同じ曲順で管理することを可能としたデータコミュニケーションシステムがあった（例えば、特許文献１参照）。
【先行技術文献】
【特許文献】
【０００６】
【特許文献１】特開２００１−７６４６４号公報（段落番号〔０２００〕〜〔０２０２〕、図３６）
【発明の概要】
【発明が解決しようとする課題】
【０００７】
上述したように、デジタルコンテンツの著作権保護については整備されつつあるが、その一方で、ユーザのデジタルコンテンツの視聴環境は広がりを見せつつある。例えば、半導体メモリや小型ＨＤＤなどを記録媒体として用いた携帯型プレーヤが実現され、パーソナルコンピュータ（ＰＣ）などに蓄積したデジタルコンテンツを携帯型プレーヤに転送し、外出先で楽しむことが可能となっている。このように、異なる視聴環境下ではそれぞれに好適な記録媒体が用いられるので、ユーザは、視聴環境にあわせてデジタルコンテンツを別の記録媒体に移動させる必要がある。
【０００８】
ここで、“コピーワンス”とされたデジタルコンテンツを様々な記録媒体で利用するにあたっては、以下のような３つの問題点が考えられる。まず、例えば、自宅の据え置き型レコーダに記録したコンテンツを、携帯型プレーヤにムーブして外出した場合を考えると、外出先でそのコンテンツを終わりまで視聴し切れなかったので、自宅でその続きを視聴しようと思うと、そのコンテンツのデータを自宅のレコーダに再びムーブしなければならない。特にビデオコンテンツなどはデータ容量が大きいので、コンテンツのムーブにはある程度の時間を要する。このように、従来になかった手間をユーザに強いることが第１の問題点である。
【０００９】
第２の問題点としては、ムーブを繰り返す過程でコンテンツの品質を低下させてしまう可能性があることである。例えば、ＤＶＤやＨＤＤを用いた据え置き型ビデオレコーダは記録容量が比較的大きいため、ビデオコンテンツの記録時にはその画質が重視され、その結果、記録されるビデオコンテンツのデータ量も大きいものになる。これに対して携帯型のビデオプレーヤでは、メモリカードなどの比較的記憶容量の小さい記録媒体が用いられ、また表示画面も小さいことから、画質を落としたデータ量の小さいビデオコンテンツが記録される。
【００１０】
従って、据え置き型のビデオレコーダから携帯型のビデオプレーヤに対しては、画質を落としてデータ量を小さくしたコンテンツがムーブされることになり、その後に据え置き型のビデオレコーダにコンテンツを再びムーブした場合には、画質の落ちた状態のコンテンツしか再生することができなくなる。すなわち、ムーブを繰り返すと、コンテンツはその過程で最も性能の低い機器に最適な品質に変化してしまうことが問題となる。
【００１１】
さらに、第３の問題点として、所望のコンテンツのデータが現在どの記録媒体上に存在するのかをユーザが常に把握していなければならないことが考えられる。特に今後、例えば据え置き型のビデオレコーダやＰＣ、メモリカードなどを用いた専用プレーヤ、携帯電話機やＰＤＡ（Personal Digital Assistant）などの携帯型情報機器といったように、個人が多数の機器においてデジタルコンテンツを利用しようとする機会が増加した場合に、再生可能なコンテンツが記録された機器を常に把握するのは容易なことではない。
【００１２】
このように、“コピーワンス”とされたデジタルコンテンツはムーブにより他の記録媒体に移動させることが可能となるが、そのためにユーザに不便を来してしまう場合があることが問題であった。
【００１３】
本発明はこのような点に鑑みてなされたものであり、著作権保護されたコンテンツを、その品質を損なうことなく異なる記録媒体に複数回ムーブさせることを可能とした利便性の高い情報管理方法、およびこのための情報再生装置を提供することを目的とする。
【課題を解決するための手段】
【００１４】
本発明では上記課題を解決するために、著作権保護されたコンテンツの再生の可否を管理するための情報管理方法において、再生管理手段が、記録媒体に記録されたコンテンツに対する無効化要求を受け付けると、コンテンツを再生可能とするために必要なライセンス情報が、各コンテンツを識別するコンテンツ識別情報に対応付けて記録された再生管理情報から、当該コンテンツに対応する前記ライセンス情報を消去する無効化ステップと、再生制御手段が、前記記録媒体内のコンテンツの再生要求を受け付けると、前記再生管理情報を参照して当該コンテンツに対応する前記ライセンス情報が消去されていない場合に再生を許可する再生処理ステップと、前記再生管理手段が、前記ライセンス情報が消去されたコンテンツに対応する前記ライセンス情報を取得すると、当該ライセンス情報を対応する前記コンテンツ識別情報とともに前記再生管理情報に再び記録して前記再生管理情報を更新する無効化解除ステップと、を含むことを特徴とする情報管理方法が提供される。
【００１５】
このような情報管理方法では、無効化ステップにおいて、記録媒体上のコンテンツのうちの無効化要求対象のライセンス情報を消去し、再生処理ステップでは、ライセンス情報を消去されたコンテンツが再生できないようにされるので、１回のみコピー可能なコンテンツを他の記録媒体に移動させる際に、元の記録媒体に記録されたコンテンツのデータを消去することなく、そのコンテンツを仮想的に移動させることができる。また、無効化解除ステップにおいて、ライセンス情報が消去されたコンテンツに対応するライセンス情報を取得した場合には、ライセンス情報が再び記録されて、対応するコンテンツが再び再生可能となるので、そのコンテンツを他の記録媒体から仮想的に元の記録媒体に移動させて、無効化されていた元のコンテンツのデータを再生することが可能となる。
【発明の効果】
【００１６】
本発明によれば、記録媒体上のコンテンツを他の記録媒体に移動した場合にも元のコンテンツのデータが消去されず、このコンテンツが元の記録媒体に移動されたときに元のコンテンツの品質を落とすことなく再生することができる。あるいは、他の記録媒体に仮想的に移動して、このコンテンツが複数の情報再生装置に記録していずれか１つを再生可能としたときに、元のコンテンツの品質を保持することができる。すなわち、コンテンツの移動を複数回行った場合にも、元のコンテンツの品質が劣化することを防止することができる。
【００１７】
これとともに、一度他の記録媒体に移動したコンテンツを元の記録媒体に戻す場合などに、コンテンツのデータを転送する必要がなくなり、移動処理の時間が短縮されてユーザの利便性が向上する。
【図面の簡単な説明】
【００１８】
【図１】本発明の第１の実施の形態に係るビデオレコーダの構成を示すブロック図である。
【図２】再生管理情報のデータ構造を示す図である。
【図３】ビデオレコーダと携帯端末との間のムーブ動作の概要を示す図である。
【図４】放送により受信したビデオコンテンツをＨＤＤに記録する場合の処理の流れを示すフローチャートである。
【図５】ＨＤＤ内のビデオコンテンツをメモリカードにムーブする場合の処理の流れを示すフローチャートである。
【図６】過去にムーブしたビデオコンテンツをメモリカードからＨＤＤに再びムーブする場合の処理の流れを示すフローチャートである。
【図７】本発明の第２の実施の形態に係るコンテンツ再生システムの構成を示す図である。
【図８】本発明の第２の実施の形態において、第１の処理例を適用した場合のコンテンツ再生システムにおけるムーブ時の動作の概要を示す図である。
【図９】仮想ムーブ対象の登録時におけるビデオレコーダの処理の流れを示すフローチャートである。
【図１０】ビデオレコーダ側でのユーザ操作に応じて仮想ムーブ対象が再生される際のビデオレコーダの処理の流れを示すフローチャートである。
【図１１】ビデオレコーダ側でのユーザ操作に応じて仮想ムーブ対象が再生される際のＩＤモジュールの処理の流れを示すフローチャートである。
【図１２】ビデオレコーダにおける再生許諾継続受信処理の流れを示すフローチャートである。
【図１３】ＩＤモジュールにおける継続再生監視処理の流れを示すフローチャートである。
【図１４】ＩＤモジュール側でのユーザ操作に応じて仮想ムーブ対象が再生される場合のＩＤモジュールの処理の流れを示すフローチャートである。
【図１５】仮想ムーブ対象から復帰させる際のビデオレコーダにおける処理の流れを示すフローチャートである。
【図１６】本発明の第２の実施の形態において、第２の処理例を適用した場合のコンテンツ再生システムにおけるムーブ時の動作の概要を示す図である。
【発明を実施するための形態】
【００１９】
以下、本発明の実施の形態について図面を参照して詳細に説明する。なお、以下の各実施の形態では、デジタルコンテンツの一例としてビデオコンテンツを用いた場合を想定する。ここで、ビデオコンテンツには、ビデオコンテンツとそれに同期再生されるオーディオコンテンツの双方が含まれるものとする。
【００２０】
≪第１の実施の形態≫
以下の第１の実施の形態では、記録媒体に記録されたビデオコンテンツの再生や他の記録媒体に転送することが可能な再生機器の一例として、デジタル放送の受信および録画が可能なビデオレコーダを挙げ、このビデオレコーダに対して本発明を適用した場合について説明する。
【００２１】
図１は、本発明の第１の実施の形態に係るビデオレコーダの構成を示すブロック図である。
図１に示すビデオレコーダ１は、チューナ部１１、エンコーダ／デコーダ１２、グラフィックインタフェース（Ｉ／Ｆ）１３、オーディオＩ／Ｆ１４、ＣＰＵ（Central Processing Unit）１５、ＲＯＭ（Read Only Memory）１６、ＲＡＭ（Random Access Memory）１７、不揮発性メモリ１８、ＨＤＤ１９、光ディスクドライブ２０、メモリカードＩ／Ｆ２１、入力Ｉ／Ｆ２２，および暗号処理回路２３を具備する。このビデオレコーダ１は、ＣＰＵ１５が内部バス２４を介して装置内の各コンポーネントに接続して、これらに対する統括的な制御を実行する構成となっている。
【００２２】
チューナ部１１は、外部のアンテナにより受信された放送電波の入力を受けて、ＣＰＵ１５からの指示に従って所定の搬送周波数の信号を選択し、選択した受信信号に対してＱＰＳＫ（Quadrature Phase Shift Keying）復調および誤り訂正処理を施す。そして、処理後のトランスポートストリームからビデオストリームおよびオーディオストリームを分離して、ＣＰＵ１５の指示に従ってエンコーダ／デコーダ１２やＨＤＤ１９などに転送する。また、トランスポートストリームからはさらにＥＰＧ（Electronic Program Guide）などのデータ放送用の付加情報、コピー制御情報、暗号化のための鍵データなどのライセンス情報などを分離して、これらはＣＰＵ１５に転送する。
【００２３】
エンコーダ／デコーダ１２は、ＭＰＥＧ（Moving Picture Experts Group）方式に従ってビデオおよびオーディオのデータの圧縮符号化および伸張復号化処理を行う。例えば、チューナ部１１やＨＤＤ１９、光ディスクドライブ２０、メモリカードＩ／Ｆ２１などから供給されたビデオ，オーディオの各符号化データをデコードし、処理後のビデオ，オーディオのデータをそれぞれグラフィックＩ／Ｆ１３およびオーディオＩ／Ｆ１４に出力する。なお、実際にはＨＤＤ１９や光ディスクドライブ２０、メモリカードＩ／Ｆ２１からのビデオデータ，オーディオデータは、暗号処理回路２３を介してエンコーダ／デコーダ１２に供給される。また、ＨＤＤ１９や光ディスクドライブ２０から供給されたビデオ，オーディオの符号化データを、解像度やビットレートなどを変更して再エンコードし、暗号処理回路２３を通じてメモリカードＩ／Ｆ２１などに出力することもできる。
【００２４】
グラフィックＩ／Ｆ１３は、エンコーダ／デコーダ１２でデコード処理されたビデオデータを例えばアナログ信号に変換し、外部のテレビジョン受像機などに出力する。このとき、デコード処理されたビデオデータに、ＣＰＵ１５の処理により生成されたＧＵＩ画像などのＯＳＤ（On Screen Display）画像データを合成可能としてもよい。オーディオＩ／Ｆ１４は、エンコーダ／デコーダ１２でデコード処理されたオーディオデータを例えばアナログ信号に変換して、テレビジョン受像機やオーディオ機器などに出力する。
【００２５】
ＣＰＵ１５は、ＲＯＭ１６などに格納されたプログラムを実行することにより、ビデオレコーダ１内の各部を統括的に制御する。ＲＯＭ１６には、ＯＳ（Operating System）やＢＩＯＳ（Basic Input／Output System）、アプリケーションプログラム、その他の各種データがあらかじめ格納される。ＲＡＭ１７は、ＣＰＵ１５に実行させるプログラムの少なくとも一部や、このプログラムによる処理に必要な各種データを一時的に記憶する。
【００２６】
不揮発性メモリ１８は、例えばＥＥＰＲＯＭ（Electronically Erasable and Programmable Read Only Memory）などからなり、ＣＰＵ１５に実行させるプログラムや、暗号化・復号などの処理に必要なデータがあらかじめ記録される。本実施の形態では特に、後述するように、ビデオコンテンツをムーブする際に必要とされるライセンス情報を管理する再生管理情報が記録され、ビデオコンテンツの記録時やムーブ処理時などに必要に応じて書き換えられるようになっている。
【００２７】
ＨＤＤ１９は、長時間のビデオコンテンツのデータを記録することが可能な、例えば１００ＧＢｙｔｅといった比較的大容量の記憶装置であり、ＣＰＵ１５により指定されるコマンドやアドレス情報に基づいてデータの書き込みおよび読み出しの動作を行う。ＨＤＤ１９には、ビデオコンテンツのデータや、データ放送用の付加情報などが記録される。また、ＨＤＤ１９には、ＣＰＵ１５により実行されるプログラムや実行に必要なデータなどが記憶されてもよい。
【００２８】
光ディスクドライブ２０には、ＤＶＤなどの光ディスク２０ａが装着され、光ディスクドライブ２０は、この光ディスク２０ａを用いてデータの読み取り・書き込みを行う。光ディスク２０ａには、このビデオレコーダ１、あるいは他の装置において受信された放送コンテンツのデータなどが記録される。
【００２９】
メモリカードＩ／Ｆ２１には、フラッシュメモリを内蔵するメモリカード２１ａが装着され、メモリカードＩ／Ｆ２１は、このメモリカード２１ａを用いてデータの読み取り・書き込みを行う。メモリカード２１ａには、例えばＨＤＤ１９などからコピーあるいはムーブされたビデオコンテンツのデータなどが記録される。
【００３０】
入力Ｉ／Ｆ２２は、例えば、図示しないリモートコントローラからの赤外線信号を受信する受信回路や、ユーザが操作するための操作キーなどを具備し、ユーザの入力操作に応じた制御信号をＣＰＵ１５に対して供給する。
【００３１】
暗号処理回路２３は、著作権保護されたビデオコンテンツをムーブする際などに必要となる暗号化，復号の処理を実行する。例えば、ＨＤＤ１９や光ディスク２０ａ、メモリカード２１ａにビデオコンテンツのデータを記録する際の暗号化処理や、これらからデータを読み出す際の復号処理を実行する。
【００３２】
ここで、このビデオレコーダ１における基本的な動作について説明する。
ユーザがデジタル放送の放送コンテンツを視聴する際には、ＣＰＵ１５は、入力Ｉ／Ｆ２２からの制御信号に基づいて選局情報をチューナ部１１に出力し、チューナ部１１は、入力された選局情報に応じた搬送周波数の受信信号を選局して、復調および誤り訂正処理を施し、処理後のトランスポートストリームからビデオストリームやオーディオストリーム、データ放送用の付加情報、コピー制御情報、ライセンス情報などを分離する。
【００３３】
分離されたビデオストリームおよびオーディオストリームはエンコーダ／デコーダ１２によりデコードされ、デコード後のビデオデータおよびオーディオデータはそれぞれグラフィックＩ／Ｆ１３およびオーディオＩ／Ｆ１４に供給される。これにより、選局された放送コンテンツが、外部の図示しないテレビジョン受像機などにおいて再生出力される。
【００３４】
また、チューナ部１１から出力されたデータ放送用の付加情報は、入力Ｉ／Ｆ２２を通じたユーザからの操作入力に応じて、ＣＰＵ１５の処理により生成される所定のＯＳＤ画像データとともにグラフィックＩ／Ｆ１３に供給され、動画像とともに表示される。
【００３５】
さらに、受信した放送コンテンツのデータを例えばＨＤＤ１９に記録する場合には、チューナ部１１において分離されたコピー制御情報をＣＰＵ１５が参照し、コピー可能なコンテンツと判定した場合のみ、チューナ部１１で分離されたビデオストリームおよびオーディオストリームがＨＤＤ１９に供給され、記録される。このとき、各ストリームのデータは、必要に応じて暗号処理回路２３の処理により暗号化されて、ＨＤＤ１９に供給される。なお、放送コンテンツを光ディスク２０ａに直接記録する場合には、同様にコピー可能なコンテンツである場合のみ、チューナ部１１からのビデオストリームおよびオーディオストリームが、必要に応じて暗号化されて光ディスクドライブ２０に供給され、光ディスク２０ａに記録される。
【００３６】
また、ＨＤＤ１９に記録されたビデオコンテンツを再生する場合には、ＨＤＤ１９からビデオコンテンツを構成するビデオストリームおよびオーディオストリームが読み出されて、エンコーダ／デコーダ１２においてデコードされて、デコード後のデータがグラフィックＩ／Ｆ１３およびオーディオＩ／Ｆ１４に供給され、ビデオ信号およびオーディオ信号が外部に出力される。また、ＨＤＤ１９に記録されたビデオコンテンツのデータが暗号化されている場合は、このデータは暗号処理回路２３の処理により復号された後、エンコーダ／デコーダ１２に供給される。なお、光ディスク２０ａやメモリカード２１ａに記録されたビデオコンテンツを再生する場合にも、同様な処理が行われる。
【００３７】
次に、ビデオコンテンツのムーブについて説明する。
例えば放送コンテンツなどとして供給される著作権保護されたビデオコンテンツには、１回のみの記録を許可する“コピーワンス”というコピー制御情報が付加されたものがある。このような“コピーワンス”のビデオコンテンツを記録媒体に一旦記録すると、その後に他の記録媒体に記録する際には、元の記録媒体上のデータを消去する“ムーブ”という動作しか許されない。
【００３８】
本実施の形態では、ムーブの際に、元の記録媒体上のコンテンツのデータを消去せずにそのまま残し、そのコンテンツに対応するライセンス情報のみを消去して、ムーブ先の記録媒体や外部機器などに移動させる。ここで、ライセンス情報は、対応するコンテンツを再生するための許諾を与える情報であり、ライセンス情報が消去されることにより、元の記録媒体上のコンテンツが再生不能状態になる（無効化）。また、一度他の記録媒体にムーブしたコンテンツが元の記録媒体にムーブにより戻される場合には、コンテンツのデータそのものを転送させずに対応するライセンス情報のみを取得し、元の記録媒体上の無効化されたコンテンツを再び再生可能なようにする。このような動作により、元の記録媒体上のコンテンツのデータを消去したり改変したりすることなく著作権が安全に保護される、仮想的なムーブを実現する。
【００３９】
このような動作を可能にするために、本実施の形態では、ビデオレコーダ１内において、“コピーワンス”のビデオコンテンツについては、コンテンツのデータ自体と、それに対応するライセンス情報とを分離し、ライセンス情報を不揮発性メモリ１８内の「再生管理情報」に格納して管理する。
【００４０】
図２は、再生管理情報のデータ構造を示す図である。
図２（Ａ）に示すように、再生管理情報１８１は、再生許可領域１８１ａと再生不可領域１８１ｂとを備えている。再生許可領域１８１ａには、ＨＤＤ１９に記録されたビデオコンテンツのうち、再生が許可されている状態のもののライセンス情報が格納される。具体的には、ＨＤＤ１９内の各ビデオコンテンツに固有に割り当てられたコンテンツＩＤと、そのビデオコンテンツの再生に必要なライセンス情報とが対応付けて格納される。例えば、図２（Ａ）では、“ビデオＡ”というコンテンツＩＤに“ライセンス情報Ａ”が対応付けられ、“ビデオＢ”というコンテンツＩＤに“ライセンス情報Ｂ”が対応付けられている。
【００４１】
また、再生不可領域１８１ｂは、ＨＤＤ１９内に記録されていながら、ムーブにより無効化されているビデオコンテンツのコンテンツＩＤが格納される。図２（Ｂ）に示すように、ＨＤＤ１９内のビデオコンテンツがムーブされる際には、対応するライセンス情報が再生許可領域１８１ａから取り出されてムーブ先に送信されるとともに、そのビデオコンテンツのコンテンツＩＤが再生不可領域１８１ｂに記録される。図２（Ｂ）の例では、“ビデオＣ”というコンテンツＩＤで識別されるビデオコンテンツのムーブが行われ、これに対応する“ライセンス情報Ｃ”がメモリカード２１ａに転送されて、再生許可領域１８１ａの対応する情報が消去されるとともに、“ビデオＣ”というコンテンツＩＤが再生不可領域１８１ｂに記録される。これにより、“ビデオＣ”で識別されるビデオコンテンツが、仮想的にムーブされた状態となる。
【００４２】
さらに、再生不可領域１８１ｂに記録されたコンテンツＩＤに対応するビデオコンテンツが、他の記録媒体からＨＤＤ１９に再びムーブされる場合には、このビデオコンテンツのライセンス情報が再び再生許可領域１８１ａに記録され、再生不可領域１８１ｂの対応するコンテンツＩＤが消去される。これにより、ＨＤＤ１９内の無効化されていたビデオコンテンツのデータが、再び再生可能な状態となる。
【００４３】
なお、ライセンス情報としては、例えば、ビデオコンテンツを他の記録媒体にムーブする際の暗号化処理に用いられる鍵データ、この鍵データを構成するデータの一部や鍵データを生成するための情報、視聴を許可することを示す情報、視聴時間を制限する情報、再生可能な機器や転送可能な記録媒体などを制限するための再生制御情報、再生を可能にするための秘匿情報（パスワードなど）などのうち、１つまたは複数の情報を適用することが可能である。
【００４４】
以下、例としてＨＤＤ１９とメモリカード２１ａとの間のムーブについて説明する。ここでは特に、メモリカード２１ａに記録したビデオコンテンツを携帯端末で再生することを想定する。
【００４５】
図３は、ビデオレコーダと携帯端末との間のムーブ動作の概要を示す図である。
まず、ビデオレコーダ１では、著作権保護されたビデオコンテンツのデータ（コンテンツデータ１９１）がＨＤＤ１９に記録され、このとき、対応するライセンス情報が、不揮発性メモリ１８内の再生管理情報１８１にコンテンツＩＤとともに記録されている。この状態から、ビデオコンテンツをメモリカード２１ａにムーブする場合を考える。
【００４６】
ここで、メモリカード２１ａの記憶容量はＨＤＤ１９と比較してはるかに小さく、また携帯端末２の表示画面の解像度はビデオレコーダ１に接続されるテレビジョン機器より低いため、通常、ＨＤＤ１９のビデオコンテンツは、画像解像度を低下させるなどにより低ビットレート化してデータ容量を小さくした後、メモリカード２１ａに記録される。ムーブ動作が開始されると、ＨＤＤ１９内のコンテンツデータ１９１が、エンコーダ／デコーダ１２において一旦デコードされた後、低ビットレート化するように再エンコードされ、再エンコードされたビデオコンテンツのデータがメモリカード２１ａに記録される。
【００４７】
これとともに、再生管理情報１８１内の対応するライセンス情報およびコンテンツＩＤとがメモリカード２１ａに記録される（図中ステップＳ１１）。また、再生管理情報１８１の再生許可領域１８１ａ内の対応するライセンス情報は消去され、ムーブされたビデオコンテンツのコンテンツＩＤが再生不可領域１８１ｂに記録される（ステップＳ１２）。これにより、ＨＤＤ１９内のコンテンツデータ１９１は再生不可能となり、このビデオコンテンツが仮想的にムーブされた状態となる。
【００４８】
一方、メモリカード２１ａが例えば携帯端末２に装着されることで、低ビットレート化されたビデオコンテンツのデータ、コンテンツＩＤおよびライセンス情報が携帯端末２に引き渡されることになり、携帯端末２では、低ビットレート化されたビデオコンテンツをライセンス情報を用いて再生することが可能となる。
【００４９】
また、図３（Ｂ）に示すように、ムーブされたビデオコンテンツが、携帯端末２からビデオレコーダ１のＨＤＤ１９に再びムーブされる場合には、低ビットレート化されたビデオコンテンツのデータやライセンス情報が記録されたメモリカード２１ａが再びビデオレコーダ１に装着される。このとき、ビデオレコーダ１側では、メモリカード２１ａ内のビデオコンテンツのコンテンツＩＤが、再生管理情報１８１内の再生不可領域１８１ｂに記録されていることから、それと同じコンテンツＩＤを持つコンテンツデータ１９１が無効化された状態でＨＤＤ１９に記録されていることを判別することができる。
【００５０】
従って、ビデオレコーダ１は、メモリカード２１ａからコンテンツＩＤとライセンス情報のみを読み出し（ステップＳ２１）、このライセンス情報を再生管理情報１８１内の再生許可領域１８１ａに書き込み、対応するコンテンツＩＤを再生不可領域１８１ｂから消去する（ステップＳ２２）。なお、このときメモリカード２１ａ内のライセンス情報は消去される。また、低ビットレート化されたビデオコンテンツのデータも消去してもよい。
【００５１】
以上の処理により、ＨＤＤ１９内のコンテンツデータ１９１が再生可能な状態となる。このコンテンツデータ１９１は、メモリカード２１ａへの記録のために低ビットレート化する前のオリジナルのデータであるので、一度ムーブを行った後でもそのビデオコンテンツの品質を落とさずに、ビデオレコーダ１で再生することが可能となる。また、例えばビデオレコーダ１から携帯端末２にビデオコンテンツがムーブされた後、さらに別の機器や記録媒体に複数段階に亘ってムーブが行われて、ビデオレコーダ１に戻された場合にも、同様に元の品質のビデオコンテンツを再生することが可能となる。さらに、一度ムーブしたビデオコンテンツをビデオレコーダ１に戻す場合には、ビデオコンテンツのデータ自体を転送する必要がないので、ムーブに要する時間が短縮される。
【００５２】
次に、ビデオコンテンツの記録およびムーブ時のビデオレコーダ１における処理について、さらに詳しく説明する。
まず、図４は、例として放送により受信したビデオコンテンツをＨＤＤ１９に記録する場合の処理の流れを示すフローチャートである。
【００５３】
〔ステップＳ１０１〕チューナ部１１において放送コンテンツが順次受信され、ＣＰＵ１５は、チューナ部１１の出力するデータを順次受け取る。
〔ステップＳ１０２〕受信データからコピー制御情報を抽出して、１回の記録のみが許可されたデータである場合はステップＳ１０４に進み、記録を許可されないデータであった場合はステップＳ１０３に進む。
【００５４】
〔ステップＳ１０３〕受信したビデオコンテンツのデータをエンコーダ／デコーダ１２に供給してデコードさせ、コンテンツを再生出力させる。このとき、コンテンツのデータは記録媒体に記録しない。
【００５５】
〔ステップＳ１０４〕チューナ部１１からのデータが記録対象のビデオコンテンツのデータである場合はステップＳ１０５に進み、そうでない場合（ここではライセンス情報である場合）はステップＳ１０６に進む。
【００５６】
〔ステップＳ１０５〕ＨＤＤ１９にビデオコンテンツのデータを記録する。なお、実際には、ビデオコンテンツのデータは暗号処理回路２３により暗号化された後、ＨＤＤ１９に対して記録される。このときの暗号鍵データとしては、例えばＨＤＤ１９に固有に割り当てられたデバイスＩＤなどが用いられる。
【００５７】
〔ステップＳ１０６〕不揮発性メモリ１８内の再生管理情報１８１の再生許可領域１８１ａに、ライセンス情報とコンテンツＩＤとを対応付けて記録する。なお、記録したビデオコンテンツにコンテンツＩＤがあらかじめ付加されていない場合には、ユニークなコンテンツＩＤを生成して記録する。また、ライセンス情報は、暗号処理回路２３により暗号化された後に再生管理情報１８１に登録されてもよい。
【００５８】
〔ステップＳ１０７〕記録処理を終了するか否かを判定し、終了しない場合にはステップＳ１０４に戻る。
以上の処理により、ムーブが可能なビデオコンテンツについては、そのコンテンツＩＤとライセンス情報とが、再生管理情報１８１の再生許可領域１８１ａに登録される。また、ライセンス情報をビデオコンテンツのデータから分離して管理することにより、この後に他の記録媒体へムーブするときや、さらに他の記録媒体から再びムーブされて戻されるときに、その都度ビデオコンテンツのデータに対して分離や結合を行う必要がなくなり、処理を効率化することができる。
【００５９】
次に、図５は、ＨＤＤ１９内のビデオコンテンツをメモリカード２１ａにムーブする場合の処理の流れを示すフローチャートである。
〔ステップＳ２０１〕ＣＰＵ１５は、入力Ｉ／Ｆ２２を通じたユーザの操作入力などにより、ＨＤＤ１９内のビデオコンテンツをメモリカード２１ａへムーブするように指示されると、まず、メモリカードＩ／Ｆ２１に装着されているメモリカード２１ａに記録された環境情報を取得する。この環境情報としては、例えば、メモリカード２１ａの記憶容量や空き容量、再生に使用されるアプリケーションプログラムの種別、再生される機器の種別やこの機器で再生可能なデータフォーマット，画像解像度などが用いられる。
【００６０】
〔ステップＳ２０２〕ＨＤＤ１９内のムーブ対象のビデオコンテンツに付与されたコピー制御情報を抽出して、ムーブが許可されたデータか否かを判定する。許可されている場合はステップＳ２０３に進み、許可されていない場合は処理を終了する。
【００６１】
〔ステップＳ２０３〕ステップＳ２０１で取得した環境情報に基づき、ムーブ対象のビデオコンテンツのビットレートやデータ容量などの品質が、メモリカード２１ａへの記録に対して適しているか否かを判定する。適していない場合はステップＳ２０４に進み、適している場合はステップＳ２０５に進む。
【００６２】
〔ステップＳ２０４〕ムーブ対象のビデオコンテンツを、メモリカード２１ａへの記録用に最適化する。具体的には、ＣＰＵ１５の制御の下で、ＨＤＤ１９から読み出されたビデオコンテンツのデータは、暗号処理回路２３により復号された後、エンコーダ／デコーダ１２において一旦デコードされ、さらに低ビットレート化するように再エンコードされる。
【００６３】
〔ステップＳ２０５〕ＨＤＤ１９内のビデオコンテンツのデータ（または再エンコードされたデータ）を、メモリカード２１ａに転送する。このとき、実際には暗号処理回路２３で暗号化された後、メモリカード２１ａに記録される。このときの暗号鍵としては、メモリカード２１ａに固有に割り当てられたＩＤなどが用いられる。また、暗号鍵の一部として、またはこれを生成するデータとして、このビデオコンテンツに対応するライセンス情報またはその一部が用いられてもよい。
【００６４】
〔ステップＳ２０６〕ビデオコンテンツのデータの転送が完了したか否かを判定し、完了していない場合はステップＳ２０５に戻り、完了した場合にはステップＳ２０７に進む。
【００６５】
〔ステップＳ２０７〕不揮発性メモリ１８の再生管理情報１８１を参照し、再生許可領域１８１ａ内の対応するライセンス情報を読み出して、メモリカード２１ａに転送する。なお、このとき、ビデオコンテンツのデータと同様に、ライセンス情報も暗号処理回路２３で暗号化した後にメモリカード２１ａに記録してもよい。
【００６６】
〔ステップＳ２０８〕ライセンス情報の転送が完了したか否かを判定し、完了していない場合はステップＳ２０７に戻り、完了した場合にはステップＳ２０９に進む。
〔ステップＳ２０９〕再生管理情報１８１内の再生許可領域１８１ａに記録された対応するライセンス情報を消去し、また、再生不可領域１８１ｂに、ムーブしたビデオコンテンツのコンテンツＩＤを登録する。
【００６７】
以上の処理により、ＨＤＤ１９内のビデオコンテンツはそのデータが消去されることなく、メモリカード２１ａに仮想的にムーブされる。
なお、上記の処理において、ビデオコンテンツのデータをメモリカード２１ａに転送する前に、メモリカード２１ａ内の同一のコンテンツＩＤを持つビデオコンテンツのデータがすでに記録されているか否かを問い合わせ、記録されていた場合にはライセンス情報のみを転送するようにしてもよい。これにより、例えば過去にメモリカード２１ａに対して仮想的なムーブを行った後に、さらにＨＤＤ１９に仮想的に戻した（すなわち、メモリカード２１ａ内のビデオコンテンツのデータを消去せずにライセンス情報のみ移動させた）ことのあるビデオコンテンツが存在する場合に、このビデオコンテンツのデータを再度メモリカード２１ａに転送する必要がなくなる。
【００６８】
次に、図６は、過去にムーブしたビデオコンテンツをメモリカード２１ａからＨＤＤ１９に再びムーブする場合の処理の流れを示すフローチャートである。
〔ステップＳ３０１〕ＣＰＵ１５は、入力Ｉ／Ｆ２２を通じたユーザの操作入力などにより、メモリカード２１ａの所定のビデオコンテンツをＨＤＤ１９へムーブするように指示されると、まず、指定されたビデオコンテンツのコンテンツＩＤをメモリカード２１ａから取得する。
【００６９】
〔ステップＳ３０２〕ムーブ対象のビデオコンテンツのデータがＨＤＤ１９内に存在するか否かを判定する。具体的には、不揮発性メモリ１８の再生管理情報１８１を参照し、ステップＳ３０１で取得したコンテンツＩＤが再生不可領域１８１ｂに存在するか否かを判定する。存在する場合にはステップＳ３０５に進み、存在しない場合にはステップＳ３０３に進む。
【００７０】
〔ステップＳ３０３〕ムーブ対象のビデオコンテンツのデータをメモリカード２１ａから読み出し、ＨＤＤ１９に転送する。実際には、メモリカード２１ａ内に記録されているライセンス情報やメモリカード２１ａに固有のＩＤなどを復号鍵としてデータを復号し、さらにライセンス情報やＨＤＤ１９に固有のデバイスＩＤなどを暗号鍵としてデータを暗号化した後、ＨＤＤ１９に記録する。
【００７１】
〔ステップＳ３０４〕ビデオコンテンツのデータの転送が完了したか否かを判定し、完了していない場合はステップＳ３０３に戻り、完了した場合にはステップＳ３０５に進む。
【００７２】
〔ステップＳ３０５〕ムーブ対象のビデオコンテンツに対応するライセンス情報をメモリカード２１ａから読み出して不揮発性メモリ１８に転送し、再生管理情報１８１の再生許可領域１８１ａに、コンテンツＩＤとともに登録する。なお、メモリカード２１ａ内のライセンス情報が暗号化されていた場合には、これを復号し、さらにビデオコンテンツのデータと同様に暗号化してから再生管理情報１８１に登録してもよい。
【００７３】
〔ステップＳ３０６〕ライセンス情報の転送が完了したか否かを判定し、完了していない場合はステップＳ３０５に戻り、完了した場合にはステップＳ３０７に進む。
〔ステップＳ３０７〕再生管理情報１８１内の再生不可領域１８１ｂに、ムーブ対象のビデオコンテンツを示すコンテンツＩＤが存在していた場合（すなわち、ステップＳ３０２で“Ｙｅｓ”と判定した場合）には、そのコンテンツＩＤを消去する。
【００７４】
〔ステップＳ３０８〕転送が完了したメモリカード２１ａ内のライセンス情報を消去する。また、メモリカード２１ａ内のムーブ対象とされたビデオコンテンツのデータも消去してもよい。
【００７５】
以上の処理により、メモリカード２１ａに仮想的にムーブされていたビデオコンテンツが戻される場合には、再生管理情報１８１内の再生不可領域１８１ｂのコンテンツＩＤに基づいてその旨を判断し、対応するライセンス情報のみをＨＤＤ１９に転送することでムーブ動作が完了する。そしてこの場合には、ムーブに要する時間が短縮されてユーザの利便性が高まるとともに、ムーブを行ったことによるビデオコンテンツの品質低下を回避することができる。
【００７６】
なお、以上のような処理は、上記のビデオレコーダ１において、例えば、光ディスク２０ａとメモリカード２１ａとの間のムーブ、あるいはＨＤＤ１９と光ディスク２０ａとの間のムーブでも同様に実行することが可能である。また、ＨＤＤ１９と光ディスク２０ａとの間のムーブ時にも、エンコーダ／デコーダ１２による再エンコード（ビットレートの変更）を行うことも可能であり、この場合にもムーブによるビデオコンテンツの品質低下を回避することができる。
【００７７】
また、上記のような処理は、ビデオレコーダ１から有線あるいは無線の通信Ｉ／Ｆを通じて他の機器にムーブする場合にも適用することが可能である。さらに、このような場合、接続される双方の機器に、上記のような再生管理情報を用いたムーブ動作の制御機能を設けるようにしてもよい。
【００７８】
例えば、図３において、ビデオレコーダ１と携帯端末２がＵＳＢ（Universal Serial Bus）方式などの通信Ｉ／Ｆを通じて接続され、上記のような再生管理情報を用いたムーブ動作の制御機能を双方の機器が具備している場合には、図３（Ａ）のように、ビデオレコーダ１内のビデオコンテンツを携帯端末２にムーブすると、携帯端末２内の再生管理情報にムーブされたライセンス情報が登録される。そして、図３（Ｂ）のように、携帯端末２からビデオレコーダ１にそのビデオコンテンツがムーブされる場合には、携帯端末２ではビデオコンテンツのデータ自体が消去されずに、仮想的なムーブが行われる。
【００７９】
従って、この後に同じビデオコンテンツがビデオレコーダ１と携帯端末２との間でムーブされる際には、ビデオコンテンツのデータ自体は転送されず、ライセンス情報（とコンテンツＩＤ）のみが移動される。例えば、ムーブ元の機器では、ムーブ対象のビデオコンテンツがムーブを許可されたものであると判別すると（図５のステップＳ２０２に対応）、そのビデオコンテンツのコンテンツＩＤをムーブ先の機器に通知して、対応するデータがムーブ先の機器に記録されているか否かを問い合わせる。ムーブ先の機器ではこの問い合わせに応じて図６に相当する処理が開始され、対応するデータを具備する場合（図６のステップＳ３０２に対応）にはその旨をムーブ元の機器に通知する。これによりムーブ元の機器は、ライセンス情報のみを転送（図５のステップＳ２０７に対応）すればよく、データ転送時間が短縮されてユーザの利便性が高まる。
【００８０】
また、このとき各機器では、自機に対してビットレートが最適化されたビデオコンテンツが記録されているので、オリジナルのデータの品質を保持するという効果に加えて、各機器において最適化されたデータをライセンス情報の移動のみで容易に再生可能とすることができるという効果も生まれる。
【００８１】
なお、メモリカードにはメモリに対する制御回路が組み込まれていることから、この制御回路に、上記のような再生管理情報を用いたムーブ動作の制御機能を付加することも可能である。
【００８２】
≪第２の実施の形態≫
ところで、上述したように、デジタルコンテンツのムーブ動作については、そのデジタルコンテンツのデータ自体を移動せずにライセンス情報のみ移動させることで、デジタルコンテンツのデータ品質を落とすことなく、ユーザの利便性をある程度向上させることが可能となる。しかし、デジタルコンテンツを再生しようとしたときに、その再生機器に記録されたデジタルコンテンツのデータが現在再生可能であるか、あるいは無効化された状態であるかについて、ユーザが常に把握していなければならない。
【００８３】
特に、携帯型プレーヤなど、個人が多数の再生機器を用いてデジタルコンテンツを再生する状況では、上記のような仮想的なムーブ動作を実現する機能を各機器が具備していた場合に、現在どの再生機器において所望のデジタルコンテンツが再生可能な状態にあるのかをユーザが常に把握しておくことは容易でなく、不便をきたすことが問題となる。
【００８４】
そこで、以下の第２の実施の形態では、あるデジタルコンテンツを仮想的なムーブ動作を可能とするために再生不能状態としたときに、そのデジタルコンテンツの再生許諾を１つの再生機器のみに対して一時的に与えるように、外部の管理モジュールで管理する。そして、各再生機器から管理モジュールにアクセスする、あるいは管理モジュール側から再生機器にアクセスすることでその再生機器でのデジタルコンテンツの再生が可能となる。
【００８５】
従って、例えば各再生機器と管理モジュールとが近距離無線通信を行う場合には、再生機器から無線通信が可能な範囲に管理モジュールを配置し、また、有線ケーブルを通じて通信する場合には、再生機器と管理モジュールとを通信ケーブルやコネクタなどにより接続することで、デジタルコンテンツを再生することが可能となる。このように、使用する再生機器の近傍に管理モジュールを配置して、現在再生可能なデジタルコンテンツを管理モジュールにより管理することで、上記の問題を解決する。
【００８６】
図７は、本実施の形態に係るコンテンツ再生システムの構成を示す図である。
図７に示すコンテンツ再生システムは、ビデオコンテンツの再生機器の例としてのビデオレコーダ３および携帯型プレーヤ４と、これらの再生機器におけるビデオコンテンツの再生状態を管理するＩＤモジュール５とを有している。ビデオレコーダ３は、上述した第１の実施の形態で示したビデオレコーダ１と同様に、デジタル放送を通じて受信した放送コンテンツを記録・再生する機能や、記録した放送コンテンツをメモリカード６にコピー（あるいはムーブ）する機能を具備している。また、携帯型プレーヤ４は、記録媒体としてメモリカード６を用い、このメモリカード６に記録されたビデオコンテンツを再生する機能を具備している。
【００８７】
さらに、本実施の形態では例として、ＩＤモジュール５は、ビデオレコーダ３および携帯型プレーヤ４との間で、近距離無線通信方式（例えば、Ｂｌｕｅｔｏｏｔｈ（登録商標）など）を用いた無線通信を行うことが可能となっているが、これらの各機器は、例えばＵＳＢなどの通信方式に従って有線通信を行うようにしてもよい。
【００８８】
ビデオレコーダ３は、チューナ部３１、システム制御部３２、ＨＤＤ３３、記録再生エンジンチップ３４、メモリカードＩ／Ｆ３５、および入力部３６が、内部バス３７を通じて相互に接続された構成を有している。また、記録再生エンジンチップ３４には、無線Ｉ／Ｆ３８が接続されている。
【００８９】
チューナ部３１は、デジタル放送を受信して、システム制御部３２により指定された番組の放送コンテンツのデータや、コピー制御情報、データ放送などの付加データを内部バス３７上に出力する。システム制御部３２は、ＣＰＵ、ＲＯＭ、ＲＡＭなどからなり、ビデオレコーダ３の各部を統括的に制御する。ＨＤＤ３３には、ビデオコンテンツのデータやその他の各種プログラム、データなどが記録される。また、チューナ部３１で受信された放送コンテンツや各種データ、メモリカード６からメモリカードＩ／Ｆ３５を通じて読み出されたビデオコンテンツなどを記録することもできる。
【００９０】
記録再生エンジンチップ３４は、ビデオコンテンツの記録・再生時やコピー，ムーブ時における処理の一部を実行する処理ブロックであり、その内部にはビデオデータおよびオーディオデータのエンコーダ／デコーダ３４１と、記録再生時、ムーブ時などの暗号処理を実行する暗号処理回路３４２などを具備している。また、図示しないが、無線Ｉ／Ｆ３８を通じてＩＤモジュール５との間で通信する際の制御機能を具備してもよい。
【００９１】
メモリカードＩ／Ｆ３５は、メモリカード６を用いたデータの書き込み／読み出しを行う。入力部３６は、リモートコントローラからの赤外線信号の受光部や、各種操作キーおよびこれらとのＩ／Ｆ回路などを含み、ユーザによる入力操作に応じた制御信号を内部バス３７上に出力する。
【００９２】
無線Ｉ／Ｆ３８は、ＩＤモジュール５との間で無線通信するための処理ブロックで、データの変復調やパケット生成・分離処理、通信相手との間の相互認証処理などを行う処理回路などを含んでいる。
【００９３】
このようなビデオレコーダ３は、例えば、チューナ部３１により受信された放送コンテンツ（ビデオコンテンツ）のデータを、ＨＤＤ３３に記録することが可能である。また、ＨＤＤ３３やメモリカード６に記録されたビデオコンテンツのデータを、エンコーダ／デコーダ３４１によりデコードし、さらに出力用の信号に変換したビデオ信号、オーディオ信号に変換して外部のテレビジョン受信機などに出力することにより、ビデオコンテンツを再生することも可能である。
【００９４】
さらに、著作権保護されたビデオコンテンツ（コピー制御情報が“コピーワンス”とされたもの）については、ＨＤＤ３３とメモリカード６との間でムーブすることができる。この際には、後述する処理により、元のビデオコンテンツのデータを消去することなく、仮想的にムーブさせることが可能となっている。また、仮想的なムーブ状態とされたビデオコンテンツを再生する場合には、ＩＤモジュール５との間で無線Ｉ／Ｆ３８を通じて無線通信することが必要となる。
【００９５】
また、携帯型プレーヤ４は、システム制御部４１、メモリカードＩ／Ｆ４２、再生エンジンチップ４３、および入力部４４が、内部バス４５により相互に接続された構成を有している。また、再生エンジンチップ４３には、無線Ｉ／Ｆ４６、表示部４７および音声出力部４８が接続されている。
【００９６】
システム制御部４１は、ＣＰＵ、ＲＯＭ、ＲＡＭなどからなり、携帯型プレーヤ４の各部を統括的に制御する。メモリカードＩ／Ｆ４２は、メモリカード６を用いたデータの書き込み／読み出しを行う。再生エンジンチップ４３は、ビデオデータおよびオーディオデータのデコーダ４３１、再生時、ムーブ時などの暗号処理を実行する暗号処理回路４３２などを含み、ビデオコンテンツの再生時やコピー，ムーブ時における処理の一部を実行する。また、図示しないが、無線Ｉ／Ｆ４６を通じてＩＤモジュール５との間で通信する際の制御機能を具備してもよい。
【００９７】
入力部４４は、各種操作キーおよびこれらとのＩ／Ｆ回路などを含み、ユーザによる入力操作に応じた制御信号を内部バス４５上に出力する。
無線Ｉ／Ｆ４６は、ＩＤモジュール５との間で無線通信するための処理ブロックで、データの変復調やパケット生成・分離処理、通信相手との間の相互認証処理などを行う処理回路などを含んでいる。
【００９８】
表示部４７は、ＬＣＤ（Liquid Crystal Display）などの表示デバイスや表示処理回路などからなり、デコーダ４３１においてデコードされたビデオデータを受けて、表示デバイスにビデオコンテンツを再生表示する。音声出力部４８は、スピーカあるいはイヤホン出力端子、アンプなどの音声処理回路などからなり、デコーダ４３１によりデコードされたオーディオデータを受けて、このデータに基づく再生音声を出力する。
【００９９】
このような携帯型プレーヤ４は、メモリカード６に記録されたビデオコンテンツのデータをデコーダ４３１によりデコードし、表示部４７や音声出力部４８にデコード後のデータを供給することで、ビデオコンテンツを再生することができる。また、仮想的にムーブ状態とされたビデオコンテンツも再生することができ、その際にはＩＤモジュール５との間で無線Ｉ／Ｆ４６を通じて無線通信することが必要となる。
【０１００】
なお、以上のような再生機器において、著作権保護されたビデオコンテンツは、ＨＤＤ３３やメモリカード６への記録の際に暗号化される。ビデオレコーダ３では、このときの暗号化の処理は暗号処理回路３４２により実行され、再生時にはこれらの記録媒体からの読み出し後に暗号処理回路３４２により復号される。また、携帯型プレーヤ４では、メモリカード６内のビデオコンテンツは、暗号処理回路４３２により復号されることで再生可能となる。また、各機器において、暗号処理回路３４２および４３２はともに、ビデオコンテンツに付加されるライセンス情報などの暗号処理や、ＩＤモジュール５との間で送受信されるデータの暗号処理も実行する。
【０１０１】
また、ＩＤモジュール５は、制御部５１、無線Ｉ／Ｆ５２、入力部５３、表示部５４、および不揮発性メモリ５５を具備している。制御部５１は、ＣＰＵ、ＲＯＭ、ＲＡＭや暗号処理回路などからなり、ＩＤモジュール５内の各部を統括的に制御する。無線Ｉ／Ｆ５２は、ビデオレコーダ３や携帯型プレーヤ４などの再生機器との間で無線通信するための処理ブロックであり、データの変復調やパケット生成・分離処理、通信相手との間の相互認証処理などを行う処理回路などを含んでいる。
【０１０２】
入力部５３は、各種操作キーやそれらとのＩ／Ｆ回路などを含み、ユーザによる入力操作に応じた制御信号を制御部５１に供給する。表示部５４は、例えばＬＣＤなどの表示デバイスや表示処理回路などからなり、制御部５１により生成された画像信号に基づいて画像を表示する。不揮発性メモリ５５は、例えばＥＥＰＲＯＭなどからなり、後述するように、再生機器上において仮想的なムーブ状態とされたビデオコンテンツの現在の再生状態を管理するためのリスト情報が記憶される。
【０１０３】
このコンテンツ再生システムでは、ビデオレコーダ３あるいは携帯型プレーヤ４などの再生機器内のビデオコンテンツを、ＩＤモジュール５から一時的な再生許諾を受けない限り再生できない状態とする。以後、このような再生不能状態となったビデオコンテンツを“仮想ムーブ対象”と呼称する。ＩＤモジュール５は、仮想ムーブ対象とするための登録や解除の要求、再生の開始／終了要求などを、無線Ｉ／Ｆ５２を通じて再生機器から受け付け、これらの要求に応じて不揮発性メモリ５５に記録されたリスト情報を更新することで、その再生状態を管理する。ここで、ＩＤモジュール５のリスト情報に基づいて、仮想ムーブ対象となったビデオコンテンツを他の再生機器にコピーしたときでも、ただ一つの再生機器にしか再生許諾を与えないようにすることで、各再生機器内のビデオコンテンツのデータを消去することなく、実質的にムーブと同等な著作権保護効果が得られるようにする。
【０１０４】
以下、このような構成のコンテンツ再生システムにおいて、仮想的なムーブ動作を実現するための２通りの処理例について説明する。
＜第１の処理例＞
図８は、第１の処理例を適用した場合のコンテンツ再生システムにおけるムーブ時の動作の概要を示す図である。
【０１０５】
第１の処理例では、再生機器内のビデオコンテンツを仮想ムーブ対象とした際に、そのビデオコンテンツを識別するコンテンツＩＤをＩＤモジュール５に対して登録する。これにより、ＩＤモジュール５内のコンテンツＩＤを消去することで、そのビデオコンテンツを仮想ムーブ対象の状態から容易に解除することが可能となる。
【０１０６】
図８に示すように、このコンテンツ再生システムにおいて仮想的なムーブ動作を行うためには、まず、ビデオレコーダ３内のビデオコンテンツを仮想ムーブ対象として登録する手順（ステップＳ３０）を行うことで、各再生機器（ここではビデオレコーダ３および携帯型プレーヤ４）において、ＩＤモジュール５から一時的な再生許諾を取得して仮想ムーブ対象を再生する（ステップＳ４０およびＳ５０）ことが可能となる。さらに、図示しないが、この後に、ビデオコンテンツを仮想ムーブ対象から解除して元の状態に戻すことも可能となっている。
【０１０７】
ＩＤモジュール５の不揮発性メモリ５５には、再生機器において仮想ムーブ対象とされたビデオコンテンツの再生状態を管理するための再生状態管理リスト５５１が記録される。再生状態管理リスト５５１には、ユーザを識別するためのユーザＩＤに対して、仮想ムーブ対象とされているビデオコンテンツを識別するためのコンテンツＩＤと、そのビデオコンテンツが現在一つの再生機器において再生されているか否かを示す再生状態フラグとが関連づけられている。
【０１０８】
ここで、ユーザＩＤは、ＩＤモジュール５ごとにあらかじめ付与されていてもよい。この場合、ユーザＩＤはＩＤモジュール５を識別するモジュールＩＤと同等となる。例えば、ビデオコンテンツをムーブさせる必要のあるユーザが個々に自分用のＩＤモジュール５を使用する場合などは、このようなユーザＩＤの割り当てを行っておくとわかりやすい。逆に、例えば１つのＩＤモジュール５を複数のユーザにより使用する場合には、ユーザＩＤを仮想ムーブ対象の登録動作ごとに生成すればよい。さらに、これらのいずれの場合でも、１つのユーザＩＤに対して複数のコンテンツＩＤを登録してもよく、その場合にはコンテンツＩＤのそれぞれに対して再生状態フラグが個別に設けられてもよい。
【０１０９】
まず、ビデオレコーダ３において、放送を通じて受信されたビデオコンテンツのデータ（コンテンツデータ３３１ａ）がＨＤＤ３３に記録された場合を考えたとき、このコンテンツデータ３３１ａを仮想ムーブ対象として登録するための手順は、図８のように、主に、ＩＤモジュール５から与えられたユーザＩＤを、仮想ムーブ対象とするコンテンツデータ３３１ａに対応する再生管理情報３３２に付加する手順（ステップＳ３１）と、仮想ムーブ対象とするコンテンツデータ３３１ａを示すコンテンツＩＤを、ＩＤモジュール５の再生状態管理リスト５５１に登録する手順（ステップＳ３２）とから構成される。
【０１１０】
ここで、再生管理情報３３２は、対応するコンテンツデータ３３１ａがＩＤモジュール５からの一時的な再生許諾を得られない場合には再生不能であるという再生上の条件を付加するための情報であり、再生時に正しいＩＤモジュール５と接続するためにユーザＩＤが記録される。この再生管理情報３３２は、例えば、コンテンツデータ３３１ａの再生を許諾するためのライセンス情報の一部として実現される。また、仮想ムーブ対象の登録時にコンテンツデータ３３１ａを暗号化する際の暗号鍵あるいはその一部として、ユーザＩＤあるいはその関連情報が用いられてもよい。
【０１１１】
なお、本実施の形態では、再生管理情報３３２はビデオコンテンツごとに設けられ、そのデータ内に一体に付加されるが、例えば、記録媒体内の複数のビデオコンテンツについて１つの再生管理情報により一括して管理するようにしてもよい。
【０１１２】
仮想ムーブ対象の登録は、ビデオレコーダ３側あるいはＩＤモジュール５側のいずれかでのユーザによる操作入力に応じて実行されればよい。以下の図９では、例としてビデオレコーダ３側での操作入力に応じて実行される場合の処理について示す。
【０１１３】
図９は、仮想ムーブ対象の登録時におけるビデオレコーダ３の処理の流れを示すフローチャートである。
〔ステップＳ４０１〕入力部３６からのユーザの入力操作により、ＨＤＤ３３に記録されたビデオコンテンツのうち、仮想ムーブ対象とするものの選択を受け、登録処理を開始するための指示入力を受ける。システム制御部３２は、このような入力に応じて、仮想ムーブ対象の登録のためのプログラムを起動し、以下の処理を実行する。
【０１１４】
〔ステップＳ４０２〕無線Ｉ／Ｆ３８を通じて接続可能な距離内に存在するＩＤモジュール５を検索し、検索されたＩＤモジュール５に対して接続を要求する。
〔ステップＳ４０３〕無線Ｉ／Ｆ３８は、接続相手のＩＤモジュール５との間で相互認証処理を行う。
【０１１５】
〔ステップＳ４０４〕正しく相互認証が行われたときは、ＩＤモジュール５との間で無線通信リンクを確立し、次にユーザＩＤの送信を要求して、これを受信する。
〔ステップＳ４０５〕ステップＳ４０１で選択したビデオコンテンツに対応する再生管理情報３３２に、ＩＤモジュール５から受信したユーザＩＤを付加し、この再生管理情報３３２に対して、ＩＤモジュール５からの再生許諾を受けない限り再生不能であることを示す再生条件を書き込む。これにより、ユーザＩＤが付加されたビデオコンテンツは仮想ムーブ対象とされる。
【０１１６】
なお、このとき、ユーザＩＤやそれに関連する情報を暗号鍵またはその一部として組み込み、ビデオコンテンツのデータを暗号化してもよい。また、ビデオコンテンツのデータが例えばＨＤＤ３３のデバイスＩＤなどですでに暗号化されていた場合には、暗号処理回路３４２の処理により一旦復号した後、ユーザＩＤなどを鍵情報として用いて再び暗号化すればよい。
【０１１７】
〔ステップＳ４０６〕ユーザＩＤを付加したビデオコンテンツのコンテンツＩＤを、ＩＤモジュール５に送信する。ＩＤモジュール５は、ビデオレコーダ３からコンテンツＩＤを受信すると、そのＩＤを再生状態管理リスト５５１内の対応するユーザＩＤに対応づけて登録する。また、このとき対応する再生状態フラグを“０”とし、その後にビデオレコーダ３に対して、登録が完了したことを通知する。
【０１１８】
〔ステップＳ４０７〕ＩＤモジュール５からの登録完了通知を受信し、仮想ムーブ対象の登録処理が終了する。
なお、仮想ムーブ対象としたビデオコンテンツを再生不能とするために、ステップＳ４０５においてこのビデオコンテンツのデータを暗号化した際の鍵情報またはその一部を、ＩＤモジュール５の再生状態管理リスト５５１にのみ記録するようにしてもよい。これにより、仮想ムーブ対象となったビデオコンテンツの秘匿性が向上する。
【０１１９】
また、ステップＳ４０２で複数のＩＤモジュールが検索された場合には、ビデオレコーダ３では検索された各ＩＤモジュールを示すアイコンを表示させて、ユーザに選択させるようにしてもよい。また、この場合にステップＳ４０３で正しく認証されなかった場合には、検索されたもののうち他のＩＤモジュールに自動的にアクセスして、再び認証処理を行うようにしてもよい。
【０１２０】
ここで、図８に戻って説明すると、以上の図９の手順により仮想ムーブ対象となったコンテンツデータ３３１ａは、それに付加された再生管理情報３３２とともに（すなわち、コンテンツデータ３３１ａにユーザＩＤが付加された状態で）、他の記録媒体に自由にコピーすることが可能となる。これは、このコンテンツデータ３３１ａがＩＤモジュール５から再生許諾を与えられない限り再生不能であるからである。図８では、このコンテンツデータ３３１ａおよび再生管理情報３３２をメモリカード６にコピーし、このメモリカード６を携帯型プレーヤ４に装着することでビデオコンテンツを再生可能にするようにしている。また、コンテンツデータ３３１ａおよび再生管理情報３３２は、ユーザが特に操作することなく、ビデオレコーダ１から他の記録媒体に自動的にコピーさせておくことも可能であり、この場合はユーザにとっての利便性がさらに向上する。
【０１２１】
なお、通常、ビデオレコーダ３のＨＤＤ３３内のコンテンツデータ３３１ａをメモリカード６に記録する場合には、エンコーダ／デコーダ３４１の処理により画像解像度を低下させるなどしてコンテンツデータ３３１ａを低ビットレート化・低容量化してメモリカード６に記録する（図８では、低ビットレート化したものをコンテンツデータ３３１ｂとしている）。
【０１２２】
また、ビデオレコーダ３や携帯型プレーヤ４では、ユーザＩＤを装置内部の不揮発性メモリなどに別に記録するようにしてもよい。この方法は、特定の再生装置を一人のユーザが占有する場合などに好適である。この場合、特定の再生装置で再生するビデオコンテンツはすべて同じＩＤモジュール５を用いて仮想ムーブ対象とされたものとなり、例えば、取り外しできないＨＤＤなどをビデオコンテンツ用の記録媒体として具備する携帯型プレーヤなどに適用可能である。
【０１２３】
この方法によれば、仮想ムーブ対象としたビデオコンテンツを上記不揮発性メモリを具備する携帯型プレーヤにコピーする際に、間違って異なるユーザＩＤが付加されたビデオコンテンツをコピーしてしまうことが防止される。また、携帯型プレーヤが、他の記録媒体（あるいは再生機器）に記録されている仮想ムーブ対象とされたビデオコンテンツの中から、ターゲットのユーザＩＤが付加されているものだけを自動的にコピーするといった機能を実現することもできる。
【０１２４】
次に、ビデオレコーダ３内のコンテンツデータ３３１ａを再生する場合（ステップＳ４０）には、ビデオレコーダ３とＩＤモジュール５との間で無線通信チャネルを確立した後、ＩＤモジュール５が保持するユーザＩＤと、コンテンツデータ３３１ａに対応する再生管理情報３３２に記録されたユーザＩＤとが照合される（ステップＳ４１）。
【０１２５】
そして、これらのユーザＩＤが一致した場合には、ビデオレコーダ３はコンテンツデータ３３１ａのコンテンツＩＤをＩＤモジュール５に送信する（ステップＳ４２）。ＩＤモジュール５は、再生状態管理リスト５５１を参照して、受信したコンテンツＩＤに対応する再生状態フラグが“０”である場合に、ビデオレコーダ３に対して一時的な再生許諾を与える（ステップＳ４３）。またこのとき、再生状態管理リスト５５１の対応する再生状態フラグを“１”にする。
【０１２６】
以上の手順により、再生許諾を与えられたビデオレコーダ３は、コンテンツデータ３３１ａを再生することが可能となる。また、再生許諾は一時的に与えられるもので、ビデオレコーダ３では、例えばＩＤモジュール５からその後に一定時間ごとに再生許諾を受けることなどにより、再生を継続することができる。
【０１２７】
一方、携帯型プレーヤ４においてメモリカード６内のコンテンツデータ３３１ｂを再生する場合（ステップＳ５０）も、同様の手順が行われる。すなわち、ＩＤモジュール５の保持するユーザＩＤと再生管理情報３３２に記録されたユーザＩＤとが照合され（ステップＳ５１）、ユーザＩＤが一致した場合には、コンテンツＩＤがＩＤモジュール５に送信される（ステップＳ５２）。ＩＤモジュール５では、受信したコンテンツＩＤに対応する再生状態フラグが“０”である場合のみ、携帯型プレーヤ４に対して一時的な再生許諾を与える（ステップＳ５３）。
【０１２８】
ここで、ＩＤモジュール５では、再生状態管理リスト５５１の再生状態フラグを用いて、ただ一つの再生機器でのみコンテンツデータの再生を許諾することにより、ムーブ動作が仮想的に実現される。また、ビデオレコーダ３では、仮想ムーブ対象としたビデオコンテンツをメモリカード６にコピーした後でも、ＨＤＤ３３内には低ビットレート化する前のオリジナルのコンテンツデータ３３１ａを再生することができるので、ムーブ動作の実行によるビデオコンテンツの品質低下が防止される。
【０１２９】
なお、例えばビデオレコーダ３に記録したコンテンツを携帯型プレーヤ４にムーブして再生した後、再びビデオレコーダ３で再生可能にするという状況は、従来ではコンテンツデータを複数回ムーブすることで実現されるものであった。本実施の形態のコンテンツ再生システムでは、実際のコンテンツデータの１回のムーブとＩＤモジュール５による再生許諾の管理により、上記のような実質的な複数回のムーブが実現されることになり、従来であればこのようにムーブを繰り返すことで必ず発生していたコンテンツデータの品質劣化という事態を回避できるという利点がある。
【０１３０】
以下、仮想ムーブ対象の再生時の処理について、より具体的に説明する。
図１０は、ビデオレコーダ３側でのユーザ操作に応じて仮想ムーブ対象が再生される際のビデオレコーダ３の処理の流れを示すフローチャートである。
【０１３１】
〔ステップＳ５０１〕入力部３６を通じたユーザの操作入力により、再生するビデオコンテンツの選択入力を受け付ける。
〔ステップＳ５０２〕選択されたビデオコンテンツに対応する再生管理情報３３２に記述された再生条件を参照して、ＩＤモジュール５からの再生許諾が必要か否かを判定する。必要な場合はステップＳ５０３に進み、必要でない場合はステップＳ５１２に進む。
【０１３２】
〔ステップＳ５０３〕選択されたビデオコンテンツに対応する再生管理情報３３２から、ユーザＩＤを読み出す。
〔ステップＳ５０４〕無線Ｉ／Ｆ３８を通じて接続可能な距離内に存在するＩＤモジュール５を検索し、検索されたＩＤモジュール５に対して接続を要求する。
【０１３３】
〔ステップＳ５０５〕無線Ｉ／Ｆ３８は、接続相手のＩＤモジュール５との間で相互認証処理を行う。
〔ステップＳ５０６〕正しく相互認証が行われたときは、ＩＤモジュール５との間で無線通信リンクを確立し、次にユーザＩＤの送信を要求して、これを受信する。
【０１３４】
〔ステップＳ５０７〕受信したユーザＩＤと、ステップＳ５０３で読み出したユーザＩＤとを照合し、これらが一致した場合はステップＳ５０８に進む。また、一致しなかった場合はステップＳ５１３に進む。
【０１３５】
〔ステップＳ５０８〕ユーザＩＤが一致したビデオコンテンツのコンテンツＩＤを読み取り、ＩＤモジュール５に送信する。
〔ステップＳ５０９〕ＩＤモジュール５からの応答を監視し、ステップＳ５０８で送信したコンテンツＩＤに対応するビデオコンテンツが他の再生機器で再生中であることを通知された場合にはステップＳ５１４に進み、そうでない場合はステップＳ５１０に進む。
【０１３６】
〔ステップＳ５１０〕ＩＤモジュール５から一時的な再生許諾が受信した場合にはステップＳ５１１に進み、そうでない場合はステップＳ５０９に戻ってＩＤモジュール５からの応答を監視する。
【０１３７】
〔ステップＳ５１１〕ＩＤモジュール５からの再生許諾に応じて、例えばビデオコンテンツを暗号処理回路３４２により復号するなどした後、エンコーダ／デコーダ３４１によりデコードしてビデオコンテンツの再生処理を開始し、以後、再生許諾を継続して受信することで再生を継続する。なお、このステップＳ５１１については、後の図１２において説明する。
【０１３８】
〔ステップＳ５１２〕ＩＤモジュール５からの再生許諾が必要でないビデオコンテンツについては、そのまま再生処理を行う。例えば、再生管理情報３３２内の鍵情報を用いてビデオコンテンツを復号するなどした後、さらにエンコーダ／デコーダ３４１によりデコードする。この後、図示しないが、ユーザの操作入力により再生中止が指示されるまで、再生が継続される。
【０１３９】
〔ステップＳ５１３〕ユーザＩＤによる照合に失敗した場合には、その旨をＩＤモジュール５に対して通知して、ステップＳ５１４に進む。
〔ステップＳ５１４〕接続されたテレビジョン機器の表示画面に、再生不能である旨を表示してユーザに通知し、処理を終了する。この場合、ユーザは例えば他のＩＤモジュールに無線接続して再度再生許諾を要求してもよい。
【０１４０】
なお、携帯型プレーヤ４でも、同様の処理によりメモリカード６内のビデオコンテンツを再生することが可能である。
一方、図１１は、ビデオレコーダ３側でのユーザ操作に応じて仮想ムーブ対象が再生される際のＩＤモジュール５の処理の流れを示すフローチャートである。
【０１４１】
〔ステップＳ６０１〕無線Ｉ／Ｆ５２を通じて、再生機器（ここでは例としてビデオレコーダ３とするが、携帯型プレーヤ４の場合でも同様である）からのアクセスを受ける。
〔ステップＳ６０２〕無線Ｉ／Ｆ５２は、アクセスを受けたビデオレコーダ３との間で相互認証処理を行う。
【０１４２】
〔ステップＳ６０３〕正しく相互認証が行われると、ビデオレコーダ３からの情報を監視し、ユーザＩＤの送信要求を受けると、再生状態管理リスト５５１に記録されているユーザＩＤを返信する。なお、複数のユーザＩＤが記録されている場合には、それらをすべてビデオレコーダ３に送信し、ビデオレコーダ３側においてユーザの操作入力により選択させてもよい。
【０１４３】
〔ステップＳ６０４〕ステップＳ６０３で返信したユーザＩＤを用いて、ビデオレコーダ３では照合処理（図１０のステップＳ５０７に対応）が実行され、ＩＤモジュール５では、照合結果に基づいて発行される情報を監視する。照合に失敗した場合にはその旨が通知され（図１０のステップＳ５１３に対応）、ＩＤモジュール５ではその通知を受けると、処理を終了する。また、通知を受けない場合はステップＳ６０５に進む。
【０１４４】
〔ステップＳ６０５〕照合に成功した場合には、登録対象のビデオコンテンツのコンテンツＩＤが送信され（図１０のステップＳ５０８に対応）、ＩＤモジュール５では、コンテンツＩＤを受信した場合にはステップＳ６０６に進み、受信しない場合はステップＳ６０４に戻って、ビデオレコーダ３からの情報を監視する。
【０１４５】
〔ステップＳ６０６〕再生状態管理リスト５５１を参照して、ステップＳ６０５で受信したコンテンツＩＤに対応する再生状態フラグが“０”である場合はステップＳ６０７に進み、“１”である場合はステップＳ６１０に進む。
【０１４６】
〔ステップＳ６０７〕再生状態フラグを、再生中を示す“１”に変更する。
〔ステップＳ６０８〕受信したコンテンツＩＤに対応するビデオコンテンツの一時的な再生許諾を送信する。これにより、登録を要求したビデオコンテンツについて、通信相手のビデオレコーダ３において再生が開始される。
【０１４７】
〔ステップＳ６０９〕再生を許諾したビデオコンテンツがその後再生され続けるか否かを継続的に監視する処理を行う。この処理については、後の図１３において説明する。
〔ステップＳ６１０〕再生状態フラグ“１”の場合、登録を要求されたビデオコンテンツが他の再生機器において現在再生中であるので、再生中である旨を再生機器に通知する。この通知を受信したビデオレコーダ３では、再生不能である旨を表示する（図１０のステップＳ５１４）。
【０１４８】
以上の図１０および図１１の処理により、ビデオレコーダ３では仮想ムーブ対象とされたビデオコンテンツの再生を開始することができる。その後、再生を継続する間、ビデオレコーダ３とＩＤモジュール５との間の通信は続行され、以下の図１２および図１３の処理が行われる。一方、現在再生中のビデオコンテンツの再生が要求された場合には、ＩＤモジュール５によって拒否され、ビデオコンテンツの著作権が確実に保護される。これとともに、ユーザは、現在再生可能なビデオコンテンツを普段から特に把握している必要がなく、単にビデオレコーダ３から再生開始を要求すればよいので、利便性の高い仮想的なムーブ動作が実現される。
【０１４９】
図１２は、ビデオレコーダ３における再生許諾継続受信処理の流れを示すフローチャートである。
〔ステップＳ７０１〕再生が許諾されたビデオコンテンツのデータがエンコーダ／デコーダ３４１によりデコードされ、再生信号が順次出力される。
【０１５０】
〔ステップＳ７０２〕一定時間（例えば１０秒）の経過を監視する。ここで、その時間が経過した場合にはステップＳ７０３に進む。
〔ステップＳ７０３〕再生中のビデオコンテンツのコンテンツＩＤをＩＤモジュール５に送信し、再生中である旨を通知する。
【０１５１】
〔ステップＳ７０４〕ＩＤモジュール５から、再生継続許諾を受信する。これにより、さらに一定時間経過後まで再生を継続することが可能となる。
〔ステップＳ７０５〕ステップＳ７０２での一定時間経過までの間に、ユーザの操作入力により再生を中止するように指示された場合はステップＳ７０６に進み、指示のない場合にはステップＳ７０１に戻って、再生処理を継続する。
【０１５２】
〔ステップＳ７０６〕再生の中止を指示された場合には、再生を中止する旨をＩＤモジュール５に対して通知し、処理を終了する。
図１３は、ＩＤモジュール５における継続再生監視処理の流れを示すフローチャートである。
【０１５３】
〔ステップＳ８０１〕無線Ｉ／Ｆ５２を通じて、再生機器（ここではビデオレコーダ３）からの情報を監視し、再生中であることの通知を受けた場合（図１２のステップＳ７０３に対応）はステップＳ８０２に進む。このとき同時に、再生中のビデオコンテンツを示すコンテンツＩＤも受信する。また、そのような通知を受けていない場合はステップＳ８０４に進む。
【０１５４】
〔ステップＳ８０２〕再生状態管理リスト５５１を参照して、受信したコンテンツＩＤが存在し、かつ再生状態フラグが“１”であることを確認する。
〔ステップＳ８０３〕通信先のビデオレコーダ３に対して再生継続許諾を送信する。この再生継続許諾を受信したビデオレコーダ３では、その後に再び再生継続許諾を要求するまでの間、対応するビデオコンテンツの再生を継続することが可能となる（図１２のステップＳ７０４に対応）。
【０１５５】
〔ステップＳ８０４〕ビデオレコーダ３から、再生中止の通知を受信した場合にはステップＳ８０６に進み、そうでない場合はステップＳ８０５に進む。
〔ステップＳ８０５〕一定時間の経過を監視し、その時間が経過したときにビデオレコーダ３から何の情報も受信しなかった場合には、再生が中止された（あるいはビデオレコーダ３とＩＤモジュール５との距離が離れた）と判断されるので、ステップＳ８０６に進む。また、そうでない場合はステップＳ８０１に戻って、ビデオレコーダ３からの情報を監視する。
【０１５６】
〔ステップＳ８０６〕再生中とされていたコンテンツＩＤに対応する再生状態フラグを“０”に戻す。
以上の図１２および図１３の処理により、ビデオレコーダ３は一定時間間隔でＩＤモジュール５から再生継続許諾を受信することにより、仮想ムーブ対象のビデオコンテンツの再生を継続することができる。また、再生が継続される間、ＩＤモジュール５の再生状態管理リスト５５１では、対応する再生状態フラグが“１”とされて他の再生機器による再生要求が拒否され、仮想的なムーブ動作が実現されることになる。
【０１５７】
なお、上記の図１２および図１３では、ＩＤモジュール５が再生機器での再生動作を常時監視していたが、この他に、仮想ムーブ対象の再生許諾を最初に要求されたときに、そのビデオコンテンツの再生時間と同等またはそれより長い時間だけ再生を許諾し、その間は他の再生機器に対して再生許諾を与えないようにしてもよい。
【０１５８】
ところで、上記の図１０および図１１では、ビデオレコーダ３側でのユーザ操作に応じて仮想ムーブ対象が再生される際の処理について説明したが、再生のための操作入力はＩＤモジュール５において行われてもよい。
【０１５９】
図１４は、ＩＤモジュール５側でのユーザ操作に応じて仮想ムーブ対象が再生される場合のＩＤモジュール５の処理の流れを示すフローチャートである。
〔ステップＳ９０１〕入力部５３を通じたユーザの操作入力により仮想ムーブ対象の再生要求が行われると、制御部５１は、無線Ｉ／Ｆ５２を通じて接続可能な距離内に存在する再生機器を検索し、検索された再生機器に対して接続を要求する。なお、複数の再生機器が検索された場合には、接続可能な再生機器の一覧を表示部５４に表示し、ユーザによる選択入力を受け付けるようにすればよい。
【０１６０】
〔ステップＳ９０２〕無線Ｉ／Ｆ５２は、接続相手の再生機器との間で相互認証処理を行う。
〔ステップＳ９０３〕相互認証が正しく行われた場合には、接続相手の再生機器に記録されたビデオコンテンツの一覧を示すコンテンツＩＤのリストを要求する。要求を受けた再生機器は、自身の記録媒体に記録されたビデオコンテンツを検索して、それらのコンテンツＩＤのリストを返信する。ＩＤモジュール５は、そのリストを受信する。
【０１６１】
〔ステップＳ９０４〕受信したコンテンツＩＤのうち、再生状態管理リスト５５１に存在し、かつ、再生状態フラグが“０”であるもののビデオコンテンツ名を、表示部５４に一覧表示する。
【０１６２】
〔ステップＳ９０５〕表示されたビデオコンテンツの中から再生させるものを選択するためのユーザによる選択入力を、入力部５３を通じて受け付ける。
〔ステップＳ９０６〕選択入力に応じたコンテンツＩＤと、対応するユーザＩＤとを再生機器に送信する。これらの情報を受信した再生機器は、コンテンツＩＤに対応するビデオコンテンツの再生管理情報３３２からユーザＩＤを読み出し、受信したユーザＩＤと照合して、照合結果をＩＤモジュール５に返信する。
【０１６３】
〔ステップＳ９０７〕再生機器からの照合結果を受信し、照合に成功していた場合はステップＳ９０８に進み、失敗していた場合にはステップＳ９１１に進む。
〔ステップＳ９０８〕照合に成功していた場合、ステップＳ９０６で送信したコンテンツＩＤに対応する再生状態フラグを“１”に変更する。
【０１６４】
〔ステップＳ９０９〕再生機器に対して再生許諾を送信する。これにより、ユーザが指定したビデオコンテンツが再生機器において再生される。
〔ステップＳ９１０〕図１３で示した処理と同様の継続再生監視処理が実行され、これにより再生機器でのビデオコンテンツの再生が継続される。
【０１６５】
〔ステップＳ９１１〕ステップＳ９０７で照合に失敗していた場合には、指定されたビデオコンテンツが再生不能である旨を表示部５４に表示して、ユーザに通知する。
〔ステップＳ９１２〕ユーザからの操作入力に応じて、他のビデオコンテンツの再生を開始するための処理を継続するか否かを判断し、継続する場合はステップＳ９０４に戻り、継続しない場合は処理を終了する。
【０１６６】
以上のように、ＩＤモジュール５側でのユーザ操作により、無線接続された再生機器上の仮想ムーブ対象を再生させることが可能となる。ユーザは例えば、ＩＤモジュール５の表示部５４において、再生させることが可能なビデオコンテンツを選択することが可能であるので、再生可能なビデオコンテンツを普段は特に把握している必要がなく、利便性が高められる。
【０１６７】
次に、再生装置内のビデオコンテンツを仮想ムーブ対象から復帰させるための処理について説明する。
図１５は、仮想ムーブ対象から復帰させる際のビデオレコーダ３における処理の流れを示すフローチャートである。
【０１６８】
〔ステップＳ１００１〕入力部３６からのユーザの入力操作により、ＨＤＤ３３内の仮想ムーブ対象とされたビデオコンテンツのうち、仮想ムーブ対象から復帰させるものの選択を受け、登録解除処理を開始するための指示入力を受ける。
【０１６９】
〔ステップＳ１００２〕選択されたビデオコンテンツの再生管理情報３３２に付加されたユーザＩＤを読み出す。
〔ステップＳ１００３〕無線Ｉ／Ｆ３８を通じて接続可能な距離内に存在するＩＤモジュール５を検索し、検索されたＩＤモジュール５に対して接続を要求する。
【０１７０】
〔ステップＳ１００４〕無線Ｉ／Ｆ３８は、接続相手のＩＤモジュール５との間で相互認証処理を行う。
〔ステップＳ１００５〕正しく相互認証が行われたときは、ＩＤモジュール５との間で無線通信リンクを確立し、次にユーザＩＤの送信を要求して、これを受信する。
【０１７１】
〔ステップＳ１００６〕受信したユーザＩＤと、ステップＳ１００２で読み出したユーザＩＤとを照合し、これらが一致した場合はステップＳ１００７に進む。また、一致しなかった場合はステップＳ１０１０に進む。
【０１７２】
〔ステップＳ１００７〕照合が成功したことの通知と、登録解除を要求するコンテンツＩＤをＩＤモジュール５に送信する。
ＩＤモジュール５は、再生状態管理リスト５５１を参照し、受信したコンテンツＩＤに対応する再生状態フラグが“０”である場合に登録解除が可能と判断し、当該コンテンツＩＤを消去して登録を解除し、登録解除許諾をビデオレコーダ３に送信する。また、再生状態フラグが“１”である場合には、このビデオコンテンツが現在他の再生機器で再生中であるので、登録解除が不能であることをビデオレコーダ３に通知する。
【０１７３】
〔ステップＳ１００８〕ビデオレコーダ３は、ＩＤモジュール５から登録解除の許諾を受けた場合には、ステップＳ１００９に進む。また、登録解除が不能である旨を通知された場合には、ステップＳ１０１１に進む。
【０１７４】
〔ステップＳ１００９〕登録解除の許諾を受けた場合は、ＩＤモジュール５からの恒久的な再生許諾が得られたことになり、解除する対象として選択されたビデオコンテンツの再生管理情報３３２からユーザＩＤを消去し、ＩＤモジュール５から再生許諾を受けることなく再生が可能となるように、仮想ムーブ対象から復帰させる。例えば、再生許諾なしで再生が可能となるように再生管理情報３３２内の再生条件を書き換える。また、ＩＤモジュールから鍵情報またはその一部を受信して、当該ビデオコンテンツのデータを一旦復号し、ＨＤＤ３３のデバイスＩＤなど、ＩＤモジュール５と関係のない情報を鍵情報として用いて再び暗号化してもよい。
【０１７５】
〔ステップＳ１０１０〕ユーザＩＤの照合に失敗した場合には、その旨をＩＤモジュール１０１０に通知し、ステップＳ１０１１に進む。
〔ステップＳ１０１１〕登録の解除が不能であることを表示させ、ユーザに通知した後、処理を終了する。
【０１７６】
なお、以上の処理では、再生機器側でのユーザの操作入力に応じて、仮想ムーブ対象から復帰する処理が実行された場合について示したが、ＩＤモジュール５側でのユーザの操作入力に応じて復帰させることも可能である。
【０１７７】
ここで、図８に戻って、仮想ムーブ対象から復帰させたときの効果について説明する。上述したように、仮想ムーブ対象とされたコンテンツデータ３３１ａは、例えばメモリカード６などの記録容量の小さい記録媒体にコピーされる際には、低ビットレート化されたコンテンツデータ３３１ｂがコピーされる。しかし、ビットレート変換が行われていないオリジナルのコンテンツデータ３３１ａも元の再生機器（ビデオレコーダ３）から消去されず、この後に上述した復帰処理を行うことで、元のようにＩＤモジュール５からの再生許諾を受けることなく再生可能な状態に戻すことができる。従って、仮想的なムーブを行った後でも、復帰時にはオリジナルの品質低下のないデータを元通り再生することが可能となる。また、復帰時はビデオコンテンツのデータ自体の転送が行われないため、その処理時間も短くて済む。
【０１７８】
以上説明したように、本実施の形態（第１の処理例）では、ムーブ動作に伴うデータ転送時間の長さや品質低下という問題が改善されるとともに、再生可能なコンテンツの管理を特にユーザが認識する必要がなくなるため、ユーザにとって利便性の高いムーブ動作が実現される。
【０１７９】
＜第２の処理例＞
図１６は、第２の処理例を適用した場合のコンテンツ再生システムにおけるムーブ時の動作の概要を示す図である。
【０１８０】
図１６に示す第２の処理例では、図８に示した第１の処理例と同様に、仮想的なムーブ動作を行うためには、まず、ビデオレコーダ３内のビデオコンテンツを仮想ムーブ対象として登録する手順（ステップＳ６０）を行い、その後に各再生機器（ここではビデオレコーダ３および携帯型プレーヤ４）においてＩＤモジュール５から一時的な再生許諾を取得して仮想ムーブ対象を再生する（ステップＳ７０およびＳ８０）。
【０１８１】
ここで、第１の処理例との違いは、仮想ムーブ対象の登録時には、コンテンツデータ３３１ａの再生管理情報３３２にユーザＩＤを付加する（ステップＳ６１）だけで、コンテンツＩＤをＩＤモジュール５に登録しない点である。そのため、ＩＤモジュール５が不揮発性メモリ５５内に保持する再生状態管理リスト５５２には、ユーザＩＤに対して再生状態フラグのみが対応づけられている。
【０１８２】
このような登録方法は、再生機器がＨＤＤのように取り外し不能な記録媒体を備え、その記録媒体内のすべてのデジタルコンテンツを１つのユーザＩＤを用いて仮想ムーブ対象とする場合などに適用されるもので、コンテンツごとの再生状態の管理を行わずに再生機器ごとの管理に特化することで、管理のための処理を簡略化することができる。また、上記のような再生状態管理リスト５５２を用いて、各再生機器のデジタルコンテンツを管理した場合には、一度仮想ムーブ対象として登録したデジタルコンテンツは、復帰させることができない。
【０１８３】
ただし、この後に復帰の要求があったデジタルコンテンツのコンテンツＩＤをＩＤモジュール５において保持し続けることで、復帰を可能にすることができる。ここで、復帰したデジタルコンテンツのコンテンツＩＤは、ＩＤモジュール５の不揮発性メモリ５５内において、復帰コンテンツリスト５５３に管理される。
【０１８４】
すなわち、再生機器は、ＩＤモジュール５との間でユーザＩＤの照合が成功した後、仮想ムーブ対象から復帰させるデジタルコンテンツのコンテンツＩＤをＩＤモジュール５に通知する。ＩＤモジュール５は、再生状態管理フラグに基づいて、このデジタルコンテンツが再生中でない場合には、コンテンツＩＤを復帰コンテンツリスト５５３に記録して、再生機器に対して登録解除を許諾する。これにより、デジタルコンテンツは、ＩＤモジュール５からの再生許諾を受けなくても再生可能な状態に復帰する。また、復帰コンテンツリスト５５３内のコンテンツＩＤは、以後、それに対応するデジタルコンテンツが再度仮想ムーブ対象として登録されるまで、常に記録されていなければならない。
【０１８５】
また、図１６を参照して、このような管理方法が採られた場合の再生時の動作について説明すると、ビデオレコーダ３内の仮想ムーブ対象とされたコンテンツデータ３３１ａを再生する場合には、ビデオレコーダ３とＩＤモジュール５との間で無線通信チャネルを確立した後、ＩＤモジュール５が保持するユーザＩＤと、コンテンツデータ３３１ａに対応する再生管理情報３３２に記録されたユーザＩＤとが照合される（ステップＳ７１）。
【０１８６】
そして、これらのユーザＩＤが一致した場合には、ビデオレコーダ３はコンテンツデータ３３１ａのコンテンツＩＤをＩＤモジュール５に送信する（ステップＳ７２）。ＩＤモジュール５は、復帰コンテンツリスト５５３を参照して、受信したコンテンツＩＤがその中に記録されておらず、かつ、再生状態管理リスト５５２内の対応する再生状態フラグが“０”である場合に、ビデオレコーダ３に対して一時的な再生許諾を与える（ステップＳ７３）。またこのとき、再生状態管理リスト５５２の対応する再生状態フラグを“１”にする。これにより、ビデオレコーダ３内のコンテンツデータ３３１ａが再生されるとともに、他の再生機器では同じデジタルコンテンツを再生することが不可能となる。
【０１８７】
なお、携帯型プレーヤ４においても同様な処理（ステップＳ８１〜Ｓ８３）が行われることで、メモリカード６内のコンテンツデータ３３１ｂを再生することが可能となる。
以上の第２の処理例では、デジタルコンテンツの仮想的なムーブ動作を再生機器単位で管理する場合に好適であり、第１の処理例の場合と同様に、ムーブ動作に伴う問題点が解消され、ユーザにとって利便性の高いムーブ動作が実現される。
【０１８８】
なお、以上の第２の実施の形態においては、仮想ムーブ対象のＩＤモジュールへの登録時に、ＩＤモジュール側が保持する鍵情報によりビデオコンテンツを暗号化した場合には、このビデオコンテンツをメモリカードなどの他の記録媒体にコピーする際に、このままでは低ビットレート化のための再エンコードをすることができない。このため、このような場合にもビデオレコーダをＩＤモジュールに一旦接続し、許諾を受けるようにすればよい。
【０１８９】
具体的には、ビデオレコーダに接続してユーザＩＤの照合に成功した場合、または、照合後にさらに対象となるコンテンツＩＤをＩＤモジュール５に送信して再生中と判定されなかった場合に、ＩＤモジュール５から許諾を受けるとともに、復号鍵を取得してビデオコンテンツのデータを復号する。さらに、デコーダにより伸張復号化した後、所定のビットレートとなるように圧縮符号化し、ＩＤモジュールからの暗号鍵などで暗号化してから、メモリカードなどに転送する。このとき、暗号化されたビデオコンテンツには、元のビデオコンテンツに付加されていたユーザＩＤが付加される。これにより、ビデオコンテンツをコピーしたメモリカードを、ビデオレコーダと同様な仮想的なムーブ制御機能を具備する他のプレーヤに装着し、ＩＤモジュールと接続してメモリカード内のビデオコンテンツを再生することが可能となる。
【０１９０】
また、以上の各実施の形態では、記録媒体に記録されたビデオコンテンツの再生や他の記録媒体に転送することが可能な再生機器の一例として、デジタル放送の受信および録画が可能なビデオプレーヤに対して本発明を適用した場合について説明したが、本発明は、デジタルコンテンツの記録再生機器および再生機器のすべてに適用することが可能である。また、デジタルコンテンツとして、ビデオコンテンツだけでなく、オーディオコンテンツ、テキストコンテンツなど、様々なものが考えられる。さらに、デジタルコンテンツのデータのコピーや、装着された可般型の記録媒体に対するものだけでなく、通信Ｉ／Ｆを通じて接続された他の再生機器の記録媒体に対して行うことも可能である。
【符号の説明】
【０１９１】
１……ビデオレコーダ、２……携帯端末、１１……チューナ部、１２……エンコーダ／デコーダ、１３……グラフィックＩ／Ｆ、１４……オーディオＩ／Ｆ、１５……ＣＰＵ、１６……ＲＯＭ、１７……ＲＡＭ、１８……不揮発性メモリ、１９……ＨＤＤ、２０……光ディスクドライブ、２０ａ……光ディスク、２１……メモリカードＩ／Ｆ、２１ａ……メモリカード、２２……入力Ｉ／Ｆ、２３……暗号処理回路、２４……内部バス、１８１……再生管理情報、１９１……コンテンツデータ
【図１】
2010044858.tif 000003
【図２】
2010044858.tif 000004
【図３】
2010044858.tif 000005
【図４】
2010044858.tif 000006
【図５】
2010044858.tif 000007
【図６】
2010044858.tif 000008
【図７】
2010044858.tif 000009
【図８】
2010044858.tif 000010
【図９】
2010044858.tif 000011
【図１０】
2010044858.tif 000012
【図１１】
2010044858.tif 000013
【図１２】
2010044858.tif 000014
【図１３】
2010044858.tif 000015
【図１４】
2010044858.tif 000016
【図１５】
2010044858.tif 000017
【図１６】
2010044858.tif 000018